(57)【要約】【課題】本発明は、サムターンに関し、錠前のピッキング対策となり安全性を高めて、更に、サムターン回しにも強いものとすることが課題である。        【解決手段】ハブを介してデッドボルトを進退させ扉の端面から出没させるサムターン軸１０と、該サムターン軸の一端部に係合して当該サムターン軸の軸心ａ回りに回動させるツマミ１１と、前記ツマミの一端部が係合され当該ツマミが所要回転された時にこのツマミと一体となって前記サムターンの軸芯に沿って前記扉の内部方向に移動されて錠前の進退可能なドライバーを押し込むことで前記ハブと前記錠前のドライバーとの係合関係を解除させる錠前空転手段１２と、前記錠前空転手段と前記ツマミとを錠前を空転させた状態で前記扉の内部方向と反対の外部方向への移動を阻止する空転保持手段１３と、を少なくとも有して成るサムターン１である。【選択図】図１
2006348556.tif 000002
【特許請求の範囲】
【請求項１】
ハブを介してデッドボルトを進退させ扉の端面から出没させるサムターン軸と、
該サムターン軸の一端部に係合して当該サムターン軸の軸心回りに回動させるツマミと、
前記ツマミの一端部が係合され当該ツマミが所要回転された時にこのツマミと一体となって前記サムターンの軸芯に沿って前記扉の内部方向に移動されて錠前の進退可能なドライバーを押し込むことで前記ハブと前記錠前のドライバーとの係合関係を解除させる錠前空転手段と、
前記錠前空転手段と前記ツマミとを錠前を空転させた状態で前記扉の内部方向と反対の外部方向への移動を阻止する空転保持手段と、を少なくとも有して成ること、
を特徴とするサムターン。
【請求項２】
錠前空転手段は、サムターン軸の中心部に内装された摺動自在な棒状体の押し軸と、
該押し軸におけるフランジ状の頭部を凹部に嵌合させて支持すると共に前記ツマミの内側に係合して共にサムター軸心回りに回転する押し板と、
該押し板及び前記押し軸を前記サムターン軸の一部に反力を得て前記ツマミ側に付勢する弾性手段と、からなること、
を特徴とする請求項１に記載のサムターン。
【請求項３】
空転保持手段は、
押し板がツマミによってサムターン軸心回りに所定の角度に回転された位置においては当該押し板がツマミによってサムターン軸心に沿って扉の内部方向に移動して貫通できる形状で、且つ、
前記所定の角度に回転された位置以外の位置においては扉の内部方向にも外部方向にも通過できない形状の貫通孔を有する平板状の規制板で有ること、
を特徴とする請求項１に記載のサムターン。
【請求項４】
空転保持手段は、その空転保持位置で、規制盤における扉の内部方向側の面に凹部が設けられ、この凹部に押し板が扉の外部方向に当該凹部の深さ分だけ戻って嵌合すること、
を特徴とする請求項３に記載のサムターン。
【発明の詳細な説明】
【技術分野】
【０００１】
本発明は、例えば、一戸建て住宅やホテル等の個室の開閉扉における施錠装置において、室内側から錠前のデッドボルトを解錠若しくは施錠できるサムターンに関するものである。
【背景技術】
【０００２】
従来、サムターンは、扉の室内側に設けられ、ハブを介してデッドボルトを扉の側端面から突出させ、扉枠側に設けられた凹部に挿入させることで施錠し、前記サムターンを逆方向に回転させることで、前記デッドボルトを前記凹部から扉の側端面へと没入させて解錠するものであり、近年は、多発するサムターン回しの不正操作を防止すべく、サムターンのツマミとサムターン軸とを解錠時に係合させるようにしたものが知られている（特許文献１参照）。
【特許文献１】特開２００５−６０９２８号公報
【発明の開示】
【発明が解決しようとする課題】
【０００３】
しかし、従来のサムターンでは、サムターン回しを防いでも、扉の室外側の錠前がピッキングされて解錠されることまで防止するものではない。一戸建て住宅においても、ワンドア・ツーロックにして、防犯性が高められているが、例えば、勝手口の扉に簡易な補助錠を設けている場合で、長期間留守にしている場合では、主錠前と補助錠前ともピッキングの被害に遭うこともある。そこで、本発明に係るサムターンは、サムターン回し対策を備えると共に錠前のピッキングに対しても直ちに解錠できないようにして、このような課題を解決するために提案されたものである。
【課題を解決するための手段】
【０００４】
本発明に係るサムターンの上記課題を解決して目的を達成するための要旨は、ハブを介してデッドボルトを進退させ扉の端面から出没させるサムターン軸と、該サムターン軸の一端部に係合して当該サムターン軸の軸心回りに回動させるツマミと、前記ツマミの一端部が係合され当該ツマミが所要回転された時にこのツマミと一体となって前記サムターンの軸芯に沿って前記扉の内部方向に移動されて錠前の進退可能なドライバーを押し込むことで前記ハブと前記錠前のドライバーとの係合関係を解除させる錠前空転手段と、前記錠前空転手段と前記ツマミとを錠前を空転させた状態で前記扉の内部方向と反対の外部方向への移動を阻止する空転保持手段と、を少なくとも有して成ることである。
【０００５】
前記錠前空転手段は、サムターン軸の中心部に内装された摺動自在な棒状体の押し軸と、該押し軸におけるフランジ状の頭部を凹部に嵌合させて支持すると共に前記ツマミの内側に係合して共にサムター軸心回りに回転する押し板と、該押し板及び前記押し軸を前記サムターン軸の一部に反力を得て前記ツマミ側に付勢する弾性手段と、からなること、；
また、前記空転保持手段は、押し板がツマミによってサムターン軸心回りに所定の角度に回転された位置においては当該押し板がツマミによってサムターン軸心に沿って扉の内部方向に移動して貫通できる形状で、且つ、前記所定の角度に回転された位置以外の位置においては扉の内部方向にも外部方向にも通過できない形状の貫通孔を有する平板状の規制板で有ること、；
更に、前記空転保持手段は、その空転保持位置で、規制盤における扉の内部方向側の面に凹部が設けられ、この凹部に押し板が扉の外部方向に当該凹部の深さ分だけ戻って嵌合すること、；
を含むものである。
【発明の効果】
【０００６】
本発明のサムターンによれば、サムターンに対向した配置で扉の外側、例えば、一戸建住宅の扉であれば外であり、ホテルの個室の扉であれば通路側にある錠前におけるドライバーを、デッドボルトを進退させるハブと係合しないようにすることが出来る。
【０００７】
よって、ピッキングにより前記錠前が解錠されてしまっても、この錠前のドライバーが回転するだけで前記ハブが回動することが無く、空転するのみである。このように、デッドボルトの解錠を阻止することができる。
【０００８】
このようなサムターンであれば、例えば、一戸建住宅の勝手口の扉に、ワンドア−ツーロックとして簡易な補助錠として設けたサムターンとした場合に、普段はこのサムターンで容易に施錠・解錠すると共に、長期的に留守にする場合には、所定方向に回転させて施錠した後に、ツマミを押し込んで更に回転させると、錠前空転手段が作用して、前記錠前のドライバーが押し込まれてハブとの係合関係が解除されてデッドボルトを進退させることが一切できなくなる。よって、セキュリテイが更に向上するものである。
【０００９】
このサムターンにおける空転保持手段により、錠前空転手段が進退可能なドライバーを押し込んだ状態に作用した状態を保持できるとともに、規制板に設けた凹部により押し板を、サムターン軸心方向において押し込んだ状態から若干戻した状態で保持する。よって、サムターンの不正操作であるいわゆるサムターン回しにあっても、その不正工具を単にサムターンの一部に引っ掛けて回すだけでは、押し板が凹部に落ち込んでいるので周方向に回転させることができないとともに、これと一体に係合するツマミも回転しない。
【００１０】
従って、前記ツマミを不正な工具で、一旦、扉の内部方向へ押し込んでから回す必要があり、扉の隙間から工具を差し込んで行うにはきわめて困難な操作となって、サムターン回しを確実に防ぐことができる。
【発明を実施するための最良の形態】
【００１１】
本発明に係るサムターン１は、図１（Ａ）に示すように、例えば、一戸建て住宅の、表玄関以外の勝手口の扉２、若しくは、ホテルやマンション等における玄関扉以外の内部扉２に使用されるものである。そして、図１（Ｂ）に示すように、デッドボルト３を有する錠箱４に、室内に対して外部側に設けられるシリンダー錠やダイヤル錠の錠前５と前記サムターン１とが、デッドボルト３を進退させるハブ６に係合させて固定される。
【００１２】
前記サムターン１の構成は、図２に示すように、前記ハブ６を介してデッドボルト３を進退させ扉２の側端面から出没させるサムターン軸１０（図３参照）と、該サムターン軸１０の一端部に係合して当該サムターン軸１０の軸心ａ回りに回動させるツマミ１１（図４参照）と、前記ツマミ１１の一端部が係合され当該ツマミ１１が所要回転（例えば、９０度回転）された時に、このツマミ１１と一体となって前記サムターン１０の軸芯ａに沿って前記扉２の内部方向に移動されて錠前５の進退可能なドライバー５ａを押し込むことで、前記ハブ６と前記錠前５のドライバー５ａとの係合関係を解除させる錠前空転手段１２と、前記錠前空転手段１２と前記ツマミ１１とを、前記錠前５を空転させた状態で前記扉２の内部方向と反対の外部方向への移動を阻止する空転保持手段１３とを有して成る。
【００１３】
前記錠前空転手段１２は、サムターン軸１０の中心部に内装された摺動自在な棒状体の押し軸１４（図５参照）と、該押し軸１４におけるフランジ状の頭部１４ａを凹部１５ａに嵌合させて支持すると共に前記ツマミ１１の内側に係合して共にサムター軸心回りに回転する押し板１５（図６参照）と、該押し板１５及び前記押し軸１４を前記サムターン軸１０の一部、リング状の凹部１０ａの底面部に反力を得て前記ツマミ側に付勢するコイルスプリング等の弾性手段１６とからなる。
【００１４】
空転保持手段１３は、前記押し板１５がツマミ１１によってサムターン軸心ａ回りに所定の角度に回転された位置、即ち、初期位置から施錠位置に略９０度回転された位置、においては、当該押し板１５がツマミ１１によってサムターン軸心ａに沿って扉２の内部方向に移動して貫通できる形状で、且つ、前記所定の角度に回転された位置以外の位置においては、扉２の内部方向にも外部方向にも通過できない形状の貫通孔を有する平板状の規制板１３（図７参照）である。
【００１５】
前記各部材について、その形状等を詳細に説明する。前記サムターン軸１０は、図３（Ａ），（Ｂ）に示すように、前記ハブ６に係合して施錠・解錠の回転伝達する細長い十字状の棒状体１０ｂと、この棒状体１０ｂの中心に貫通孔１０ｃが設けられ、また、図３（Ｃ）に示すように、前記棒状体１０ｂの一端部で外側に向けてリング状の凹部１０ａが設けられ、更に、図３（Ｄ）に示すように、そのリング状の凹部１０ａを形成する縁部から左右２箇所に繋ぎ部１０ｄが延設され、その先に一部に切欠き部１０ｅを有したリング部１０ｆが設けられている。
【００１６】
前記切欠き部１０ｅは、図３（Ｂ），（Ｃ）に示すように、１８０度で対向配置にされ、その幅は、前記押し板１５の突起部１５ｂの幅よりも若干広くしてある。また、図３（Ｄ）に示すように、前記繋ぎ部１０ｄは、前記突起部１５ｂが内部側に押し込まれて軸心ａ回りに回転するときに、略４５度回転できるように、十分逃げて形成されている。
【００１７】
前記ツマミ１１は、図４に示すように、中央部に高く突出された摘み部１１ａと、サムターン内部に係止させるフランジ部１１ｂと、前記錠前空転手段１２における押し板１５と嵌合され、且つ、当該押し板１５の突起部１５ｂを掴んで回転させる係合部１１ｃと、該係合部１１ｃに設けられ前記突起部１５ｂの幅方向を挟むようにして嵌合する凹部１１ｄと、が設けられて形成されている。
【００１８】
前記押し軸１４は、図５に示すように、全体が棒状体１４ｂであり、一端側には、フランジ状の頭部１４ａがある。前記棒状体１４ｂが、前記サムターン軸１０の貫通孔１０ｃに挿通され、摺動自在にされる。また、前記頭部１４ａは、図２（Ａ）に示すように、押し板１５の凹部１５ａに嵌合される。
【００１９】
前記押し板１５は、図６に示すように、中央部に、前記押し軸１４の棒状体１４ｂを挿通させるための貫通孔１５ｃと、更に、頭部１４ａを嵌合させる凹部１５ａと、円形状の本体部１５ｅからツマミ１１の凹部１１ｄに嵌合させる突起部１５ｂと、弾性手段１６の付勢力を受ける座としての凹部１５ｄと、が設けられている。
【００２０】
前記空転保持手段としての規制板１３は、図７に示すように、所要厚さの円形状の平板体である。正面から見てその中央部に、貫通孔１３ａがあり、その大きさは、前記ツマミ１１の係合部１１ｃ及び前記サムターン軸１０のリング部１０ｆが通過できる大きさである。
【００２１】
また、前記貫通孔１３ａの縁部に対向配置にして切欠き部１３ｂが設けられ、その幅と奥行き深さは、前記押し板１５の突起部１５ｂが通過することができるように形成される。この切欠き部１３ｂは、対向配置で２箇所にしか設けられないので、前記押し板１５は、所定の角度になったときのみ、前記貫通孔１３ａ及び切欠き部１３ｂを通過することができる。
【００２２】
更に、図７（Ａ）に示すように、前記切欠き部１３ｂに対して、略４５度周方向に回転した位置に、凹部１３ｃが対向配置で設けられている。これは、前記貫通孔１３ａ及び切欠き部１３ｂを通過した押し板１５が、略４５度回転して位置合わせされ、前記通過方向（扉２の内部方向）とは逆に元に戻す方向（扉の外部方向）に若干戻ってこの凹部１３ｃに前記突起部１５ｂの先端部が嵌合する。なお、凹部１３ｄは、回転方向を逆にした場合にも対応できるように、設けてあるものである。
【００２３】
この規制板１３の外周縁部に設けられる４箇所の切欠き部１３ｅは、図２に示すように、このサムターン１の外ケース１７における内周壁面の突起部（ガイドとして長いものと短いものがある）１７ａに係合して、位置決めされるものである。
【００２４】
前記外ケース１７は、図８に示すように、略筒状でサムターン１の外殻をなすケースである。この内周壁面に前記突起部１７ａが４箇所に設けられているが、このうち、ガイドとしての長い突起１７ａには、その幅が異なっていて、後に、規制板１３や取付座１８を外ケース１７に挿着する際の、位置決めをするものとなる。
【００２５】
また、ケースの両端に、外部側の開口部１７ｂと、内部側の開口部１７ｃとがあり、外周部から内周部に貫通するネジ取り付けようのビス孔１７ｄが対向配置で２箇所に設けられている。これにより、図２に示すように、ネジで取付座１８を固定するものである。更に、図８（Ｂ）に示すように、外ケース１７の外周縁部に、凹部１７ｅが対向配置で２箇所に設けられている。これは、図２（Ａ），（Ｂ）に示すように、最も外側の飾り筒１９を、その係止部１９ａが前記凹部１７ｅに落ち込んで係止して固定するために設けられている。
【００２６】
前記取付座１８は、図９に示すように、円形状の盤体であり、前記外ケース１７の開口部１７ｃに嵌合され、外周部に設けられたネジ部１８ａが設けられ、図２に示すように、ネジ２０で両側から締結されて外ケース１７に固定される。また、中央部の貫通孔１８ｂは、前記サムターン軸１０の棒状体１０ｂを内部側へと挿通させるためのものであり、凹部１８ｃは、前記サムターン軸１０の凹部１０ａを形成している鍔部１０ｇをワッシャを介して回動自在に載置するものである。
【００２７】
また、取付孔１８ｄは、このサムターン１を錠箱に４に固定するためのものである。更に、外周部の切欠き部１８ｅは、その幅の狭い拾いを合わせるようにして、前記外ケース１７のガイドとしての突起部１７ａに嵌合されて、この外ケース１７の奥に押し込まれる際にガイドされるものである。
【００２８】
また、この取付座１８の外部側の支持部１８ｆは、図２に示すように、外ケース１７内部に挿着された規制板１３が内部方向に移動しないように支持するものである。
以上の各部品により、サムターン１を構成するには、図２に示すように、錠箱４に取付座１８を、ネジで取付孔１８ｄに挿入して固定する。この取付座１８にサムターン１０を扉の内部に挿通させて錠箱４内のハブ６に係合させる。
【００２９】
これとは別に、外ケース１７に、その開口部１７ｃから開口部１７ｂに向かってツマミ１１を入れる。次に、スプリング２１をツマミ１１の中心部の凹部にいれて、予め嵌合させた押し軸１４と押し板１５とを係合部１１ｃの凹部１１ｄに嵌合させる。更に、規制板１３を嵌合方向を合わせて外ケース１７に挿着する。
【００３０】
前記押し板１５の凹部１５ｄに弾性手段１６を嵌め込んで取り付けて、その状態で、前記錠箱４の取付座１８とサムターン軸１０に被せるようにして挿着する。このサムターン軸１０の切欠き部１０ｅに前記押し板１５の突起部１５ｂが嵌合するように、位置あわせをして挿着する。そして、ネジ２０で外ケース１７と取付座１８とを固定する。その後、飾り筒１９を外ケース１７に被せ、係止部１９ａを凹部１７ｅに係止させて嵌合させる。
【００３１】
こうして、扉２にサムターン１が挿着され、その使用方法は、図１０（Ａ）に示すように、前記ツマミ１１を、摘み部が縦の状態から時計方向若しくは反時計方向に略９０度回転させて、図１０（Ｂ）に示すように、ハブ６を介してデッドボルト３を扉側端面から突出させ施錠する。
【００３２】
また、図１０（Ｃ）に示すように、サムターン１を施錠状態にしてから、更に、扉の内部方向（図中矢印方向）へとツマミ１１を押し込む。これにより、図１０（Ｃ）に示すように、押し板１５が押し込まれると共に、図２（Ａ）に示すスプリング２１に押されて、サムターン軸１０の中央部の貫通孔から押し軸１４の棒状体１４ｂが突出する。この棒状体１４ｂの先端部が錠前５の身体自在なドライバー５ａを押し込む。これで、錠前５のドライバー５ａがハブ６から離隔され、係合が解除される。
【００３３】
その後、図１０（Ｄ）に示すように、ツマミ１１を例えば反時計方向に略４５度程回す。すると、空転保持手段としての規制板１３（図７参照）において説明したように、押し板１５（図６参照）が貫通孔１３ａ及び切欠き部１３ｂを通過して扉内部方向に押し込まれる。そして、図３（Ａ）に示すサムターン軸１０の鍔部１０ｇとリング部１０ｆとの間に前記押し板１５が存在し、前記ツマミ１１の４５度回転で、前記押し板１５の突起部１５ｂが凹部１３ｄの位置に移動する。そして、弾性手段１６の付勢力によりツマミ１１が扉外部方向に戻されると、前記突起部１５ｂが凹部１３ｄに嵌合して保持され、軸心ａの回りに回転できなくなる。
【００３４】
こうして、前記押し軸１４が突出した状態に維持されて、錠前５の空転状態が維持され、扉２の外側から前記錠前５をピッキングしても、デッドボルト３を扉２内に没入させることが出来ず、解錠することができない。
【００３５】
また、前記ツマミ１１を元に戻すには、一旦、該ツマイ１１を扉２内部方向に押して、それから４５度逆回転させる必要がある。よって、扉２の隙間から特殊工具を差し込んで、サムターン回しをしようとしても、単に回転させるだけでは、前記規制板１３の凹部１３ｄに嵌り込んでいてツマミ１１が廻らない。よって、ワンドアーツーロックにした勝手口の扉２の安全性が更に向上し、長期不在でも安心できるものである。
【図面の簡単な説明】
【００３６】
【図１】本発明に係るサムターン１の扉に取り付ける様子を示す説明図（Ａ）と、錠箱４において錠前５との関係を示す説明図（Ｂ）である。
【図２】同本発明のサムターン１の半断面図（Ａ）、左側面図（Ｂ）、右側面図（Ｃ）である。
【図３】同サムターン軸１０の断面図（Ａ）、左側面図（Ｂ）、右側面図（Ｃ）、同（Ａ）におけるＡ−Ａ戦に沿った断面図（Ｄ）である。
【図４】同ツマミ１１の、半断面図（Ａ）、左右側面図（Ｂ），（Ｃ）、底面図（Ｄ）である。
【図５】同押し軸１４の正面図（Ａ）、左右側面図（Ｂ），（Ｃ）である。
【図６】同押し板１５の半断面図（Ａ）、左右側面図（Ｂ），（Ｃ）である。
【図７】同規制板１３の正面図（Ａ）、側面図（Ｂ）、背面図（Ｃ）である。
【図８】同ツマミ１１の断面図（Ａ）、左右側面図（Ｂ），（Ｃ）である。
【図９】同取付座１８の正面図（Ａ）、側断面図（Ｂ）、平面図（Ｃ）、背面図（Ｄ）である。
【図１０】同サムターン１の使用状態の説明図（Ａ）〜（Ｄ）である。
【符号の説明】
【００３７】
１          サムターン、
２          扉、
３          デッドボルト、
４          錠箱、
５          錠前、                        ５ａ        ドライバー、
６          ハブ、
１０        サムターン軸、                １０ａ      凹部、
１０ｂ      棒状体、                      １０ｃ      貫通孔、
１０ｄ      繋ぎ部、                      １０ｅ      切欠き部、
１０ｆ      リング部、                    １０ｇ      鍔部、
１１        ツマミ、                      １１ａ      摘み部、
１１ｂ      フランジ部、                  １１ｃ      係合部、
１１ｄ      凹部、
１２        錠前空転手段、
１３        空転保持手段である規制板、    １３ａ      貫通孔、
１３ｂ      切欠き部、                    １３ｃ      凹部、
１３ｄ      凹部、                        １３ｅ      切欠き部、
１４        押し軸、                      １４ａ      頭部、
１４ｂ      棒状体、
１５        押し板、                      １５ａ      凹部、
１５ｂ      突起部、                      １５ｃ      貫通孔、
１５ｄ      凹部、                        １５ｅ      本体部、
１６        弾性手段、
１７        外ケース、                    １７ａ      突起部、
１７ｂ      開口部、                      １７ｃ      開口部、
１７ｄ      ビス孔、                      １７ｅ      凹部、
１８        取付座、                      １８ａ      ネジ部、
１８ｂ      貫通孔、                      １８ｃ      凹部、
１８ｄ      取付孔、                      １８ｅ      切欠き部、
１８ｆ      支持部、
１９        飾り筒、                      １９ａ      係止部、
２０        ネジ。
【図１】
2006348556.tif 000003
【図２】
2006348556.tif 000004
【図３】
2006348556.tif 000005
【図４】
2006348556.tif 000006
【図５】
2006348556.tif 000007
【図６】
2006348556.tif 000008
【図７】
2006348556.tif 000009
【図８】
2006348556.tif 000010
【図９】
2006348556.tif 000011
【図１０】
2006348556.tif 000012